(57)【要約】【課題】利用者に対して種々の条件に対応した適切な情報を提供する。【解決手段】第２制御部３１は、第２無線通信部３０で受信する無線信号から識別情報と付加情報を取得し、データベース３２に記憶されている複数のコンテンツの中から識別情報及び付加情報に対応したコンテンツを選択する。そして、第２制御部３１は選択したコンテンツを含む無線信号を第２無線通信部３０から送信させる。第１制御部２２は、第１無線通信部２３で受信する無線信号からコンテンツを取得し、取得したコンテンツを再生部２５に再生させる。このように、照明装置１の識別情報(ＩＤ)だけでなく、利用者の個人情報などを含む付加情報に対応したコンテンツを利用者に提供するので、利用者に対して種々の条件に対応した適切な情報を提供することができる。【選択図】        図１
2015103857.tif 000002
【特許請求の範囲】
【請求項１】
可視光を通信媒体として伝送信号を送信する送信装置と、利用者に携帯されて前記伝送信号を受信する受信装置と、前記受信装置に対して、映像及び音響の少なくとも何れか一方を含むコンテンツを提供するサーバ装置とを有し、
前記送信装置は、固有の識別情報が割り当てられ、前記識別情報を含む前記伝送信号を周期的に送信するように構成され、
前記受信装置は、前記伝送信号を受信する受信部と、電波を通信媒体とした無線通信を行う第１無線通信部と、前記コンテンツを再生する再生部と、付加情報を記憶する第１記憶部と、第１制御部とを備え、
前記第１制御部は、前記受信部で受信する前記伝送信号から前記識別情報を取得し、前記識別情報と前記第１記憶部に記憶されている前記付加情報とを含む無線信号を前記第１無線通信部から前記サーバ装置へ送信させるように構成され、
前記サーバ装置は、前記第１無線通信部との間で無線通信を行う第２無線通信部と、複数の前記コンテンツを記憶する第２記憶部と、前記第２無線通信部で受信する前記無線信号から前記識別情報と前記付加情報を取得し、前記第２記憶部に記憶されている複数の前記コンテンツの中から前記識別情報及び前記付加情報に対応した前記コンテンツを選択し、且つ選択した前記コンテンツを含む前記無線信号を前記第２無線通信部から送信させる第２制御部とを備え、
前記第１制御部は、前記第１無線通信部で受信する前記無線信号から前記コンテンツを取得し、取得した前記コンテンツを前記再生部に再生させるように構成されることを特徴とする可視光通信システム。
【請求項２】
前記第１記憶部は、前記利用者の個人情報を含む前記付加情報を記憶するように構成されることを特徴とする請求項１記載の可視光通信システム。
【請求項３】
前記第１記憶部は、前記送信装置が設置されている場所の時刻や天候を含む前記付加情報を記憶するように構成されることを特徴とする請求項１記載の可視光通信システム。
【発明の詳細な説明】
【技術分野】
【０００１】
本発明は、可視光を通信媒体とする可視光通信システムに関する。
【背景技術】
【０００２】
従来例として、特許文献１記載の展示会見学支援システムを例示する。特許文献１記載の従来例は、複数の展示ブースに設置される光源から各展示ブースのブース番号を示すＩＤ情報が可視光通信によって送信され、見学者が携帯する情報表示装置がＩＤ情報を取得するように構成される。情報表示装置は、表示部と、複数の展示ブースのレイアウト情報を記憶する記憶部と、動画を撮像可能な撮像部と、制御部とを備える。制御部は、複数の展示ブースを撮像した動画データの画像から複数の光源の位置を特定する。また、制御部は、可視光通信によって各展示ブースからＩＤ情報を取得し、複数の光源の位置とＩＤ情報とレイアウト情報とに基づいて、撮像した展示ブースに対する情報表示装置の相対位置を特定する。そして、制御部は、情報表示装置とその近傍の展示ブースと当該展示ブースのＩＤ情報とが表示される案内画面を表示部に表示させる。したがって、見学者は、情報表示装置の表示部に表示される案内画面を見て、所望の展示ブースがどこにあるかを容易に把握することができる。
【先行技術文献】
【特許文献】
【０００３】
【特許文献１】特開２０１１−１５４５８１号公報
【発明の概要】
【発明が解決しようとする課題】
【０００４】
しかしながら、特許文献１記載の従来例は、各展示ブースの場所を見学者が容易に把握できるものの、例えば、見学者の特性(性別や年代など)、時間帯、天候などの種々の条件に対応した適切な表示(情報の提供)を行うようにはなっていなかった。
【０００５】
本発明は、上記課題に鑑みて為されたものであり、利用者に対して種々の条件に対応した適切な情報を提供することを目的とする。
【課題を解決するための手段】
【０００６】
本発明の可視光通信システムは、可視光を通信媒体として伝送信号を送信する送信装置と、利用者に携帯されて前記伝送信号を受信する受信装置と、前記受信装置に対して、映像及び音響の少なくとも何れか一方を含むコンテンツを提供するサーバ装置とを有し、前記送信装置は、固有の識別情報が割り当てられ、前記識別情報を含む前記伝送信号を周期的に送信するように構成され、前記受信装置は、前記伝送信号を受信する受信部と、電波を通信媒体とした無線通信を行う第１無線通信部と、前記コンテンツを再生する再生部と、付加情報を記憶する第１記憶部と、第１制御部とを備え、前記第１制御部は、前記受信部で受信する前記伝送信号から前記識別情報を取得し、前記識別情報と前記第１記憶部に記憶されている前記付加情報とを含む無線信号を前記第１無線通信部から前記サーバ装置へ送信させるように構成され、前記サーバ装置は、前記第１無線通信部との間で無線通信を行う第２無線通信部と、複数の前記コンテンツを記憶する第２記憶部と、前記第２無線通信部で受信する前記無線信号から前記識別情報と前記付加情報を取得し、前記第２記憶部に記憶されている複数の前記コンテンツの中から前記識別情報及び前記付加情報に対応した前記コンテンツを選択し、且つ選択した前記コンテンツを含む前記無線信号を前記第２無線通信部から送信させる第２制御部とを備え、前記第１制御部は、前記第１無線通信部で受信する前記無線信号から前記コンテンツを取得し、取得した前記コンテンツを前記再生部に再生させるように構成されることを特徴とする。
【０００７】
この可視光通信システムにおいて、前記第１記憶部は、前記利用者の個人情報を含む前記付加情報を記憶するように構成されることが好ましい。
【０００８】
この可視光通信システムにおいて、前記第１記憶部は、前記送信装置が設置されている場所の時刻や天候を含む前記付加情報を記憶するように構成されることが好ましい。
【発明の効果】
【０００９】
本発明の可視光通信システムは、送信装置の識別情報だけでなく、利用者の個人情報などを含む付加情報に対応したコンテンツを利用者に提供するので、利用者に対して種々の条件に対応した適切な情報を提供することができるという効果がある。
【図面の簡単な説明】
【００１０】
【図１】本発明に係る可視光通信システムの実施形態を示すシステム構成図である。
【図２】同上におけるサーバ装置のデータベースの説明図である。
【発明を実施するための形態】
【００１１】
本発明に係る可視光通信システムの実施形態について、図面を参照して詳細に説明する。なお、本実施形態の可視光通信システムは、例えば、スーパーマーケットや百貨店、テナントビルなどの商業施設内において各店舗を宣伝する用途などに使用される。
【００１２】
本実施形態の可視光通信システムは、図１に示すように送信装置(照明装置)１、受信装置２、サーバ装置３で構成される。ただし、図１では照明装置１を１台しか図示していないが、実際は複数台の照明装置１が建物内に設置されている。
【００１３】
照明装置１は、光源１０、点灯回路部１１、可視光通信制御部１２などを備え、例えば、建物内の通路の天井や壁などに配設される。
【００１４】
光源１０は、発光ダイオードや有機エレクトロルミネッセンス素子などの発光素子、若しくは白熱ランプや蛍光ランプなどで構成される。なお、本実施形態では光源１０が発光ダイオードで構成されているものとする。
【００１５】
点灯回路部１１は、商用電源から供給される交流電圧・交流電流を直流電圧・直流電流に変換して光源１０に給電する。
【００１６】
可視光通信制御部１２は、点灯回路部１１から光源１０に給電される直流電圧又は直流電流を変調することで識別情報(ＩＤ)を可視光(照明光)に重畳させて送信する。ＩＤは、照明装置１に割り当てられる固有の識別情報である。ただし、このような可視光通信制御部１２は、従来周知であるから詳細な構成の図示並びに説明は省略する。
【００１７】
受信装置２は、受光素子２０、受信部２１、第１制御部２２、第１無線通信部２３、第１記憶部２４、再生部２５などを備える。なお、受信装置２は、利用者に携帯されて使用されるものであり、例えば、スマートフォンやタブレット端末に専用のアプリケーションを搭載することで実現される。
【００１８】
受光素子２０は、可視光を受光して電気信号に変換する光電変換素子(フォトダイオードやフォトトランジスタなど)で構成される。
【００１９】
受信部２１は、受光素子２０から出力される電気信号から送信データを復調し、復調した送信データを第１制御部２２に渡す。
【００２０】
第１無線通信部２３は、電波を媒体とする無線通信により、サーバ装置３との間でデータ通信を行う。なお、無線通信の通信方式は、ブルートゥース(Bluetooth：登録商標)やジグビー(ZigBee：登録商標)などの短距離無線通信方式が好ましい。
【００２１】
第１記憶部２４は、フラッシュメモリなどの電気的に書換可能な不揮発性の半導体メモリで構成される。
【００２２】
再生部２５は、液晶ディスプレイ、液晶ディスプレイを駆動する駆動回路、スピーカ、スピーカを駆動する駆動回路などで構成される。ただし、本実施形態における再生部２５は、タッチパネル式の液晶ディスプレイと、タッチパネル上のタッチ位置を検出する検出回路を備えることにより、入力デバイスに兼用される。
【００２３】
上述した受信部２１、第１無線通信部２３、再生部２５は何れも従来周知であるから詳細な構成の図示並びに説明は省略する。
【００２４】
第１制御部２２は、マイクロコンピュータを主構成要素とし、メモリに格納されているプログラムをマイクロコンピュータで実行することにより、後述する様々な処理を行っている。
【００２５】
サーバ装置３は、汎用のコンピュータシステムとサーバ用のソフトフェアで構成されるものであって、第２無線通信部３０、第２制御部３１、第２記憶部(データベース)３２などを有している。第２無線通信部３０は、短距離無線通信によってデータ通信を行うように構成される。データベース３２は、例えば、ハードディスクドライブなどの外部記憶装置で構成される。このデータベース３２は、各照明装置１のＩＤ(図２における縦の数字)と、後述する付加情報(図２における横のアルファベット)と、各ＩＤ及び付加情報に対応したコンテンツ(図２におけるＸ(１Ａ)〜Ｘ(６Ｄ))とをテーブル形式で記憶している。
【００２６】
第２制御部３１は、データベース３２を管理し、後述するように受信装置２に対してコンテンツを提供する処理などを行う。
【００２７】
ここで、付加情報とは、例えば、利用者の個人情報(性別や年代、職業など)を含んでいる。そして、このような付加情報は、利用者が携帯する受信装置２の第１記憶部２４にも記憶されている。
【００２８】
また、データベース３２に記憶されるコンテンツＸ(１Ａ)，…は、例えば、各照明装置１の設置場所の近くにある店舗を紹介する音声メッセージや映像(静止画像又は動画像)である。ここで、本実施形態においては、１つの店舗(１つのＩＤ)に対して、複数の付加情報Ａ，Ｂ，…毎に異なるコンテンツＸ(ｎＡ)，Ｘ(ｎＢ)，…（ｎ＝１，２，…）を対応付けている。例えば、付加情報Ａが小学生を示す場合、付加情報Ａに対応するコンテンツＸ(ｎＡ)は、簡単な言葉で判りやすく説明するような音声メッセージとされる。また、付加情報Ｂが高校生を示す場合、付加情報Ｂに対応するコンテンツＸ(ｎＢ)は、小学生の場合よりも多少は専門的に説明するような音声メッセージとされる。さらに、付加情報Ｃが成人を示す場合、付加情報Ｃに対応するコンテンツＸ(ｎＣ)は、一般的に説明するような音声メッセージとされる。また、付加情報Ｄが高齢者(例えば、６０歳以上の成人)を示す場合、付加情報Ｄに対応するコンテンツＸ(ｎＤ)は、一般的な説明をゆっくりと行うような音声メッセージとされる。ただし、上述したコンテンツＸ(ｎＡ)，…や付加情報は一例であって、これらに限定されるものではない。
【００２９】
次に、本実施形態の動作を説明する。
【００３０】
利用者が照明装置１の通信範囲(照明光が届く範囲)内に進入すると、利用者の携帯する受信装置２の受光素子２０が照明光を受光し、受信部２１が照明装置１から送信される伝送信号を受信する。受信装置２の受信部２１は、受信した伝送信号を復調して照明装置１のＩＤを取得し、取得したＩＤを第１制御部２２に渡す。
【００３１】
第１制御部２２は、受信部２１から受け取ったＩＤと、第１記憶部２４から読み出した付加情報とを含み、サーバ装置３に対してコンテンツの提供を要求する送信フレームを生成して第１無線通信部２３に出力する。第１無線通信部２３は、第１制御部２２から受け取った送信フレームを無線信号に変調し、当該無線信号をサーバ装置３へ送信する。
【００３２】
サーバ装置３の第２無線通信部３０は、受信装置２から送信される無線信号を受信し、受信した信号を復調して送信フレームを復元する。第２制御部３１は、第２無線通信部３０で復元された送信フレームからＩＤと付加情報を取得し、取得したＩＤと付加情報に対応したコンテンツをデータベース３２から読み出す。例えば、ＩＤが「２」、付加情報が「Ｃ」であれば、第２制御部３１は、コンテンツＸ(２Ｃ)を読み出す。あるいは、ＩＤが「４」、付加情報が「Ａ」であれば、第２制御部３１は、コンテンツＸ(４Ａ)を読み出す。ただし、ＩＤと付加情報の組み合わせによってはコンテンツが用意されない場合もある。例えば、「１」のＩＤに女性用の衣料品を販売する店舗を紹介するコンテンツが対応付けられている場合、小学生や男性を示す付加情報に当該コンテンツを対応付けなくてもよい。
【００３３】
第２制御部３１は、データベース３２から読み出したコンテンツ(例えば、Ｘ(２Ｃ))を含む送信フレームを生成して第２無線通信部３０に出力する。第２無線通信部３０は、第２制御部３１から受け取った送信フレームを無線信号に変調し、当該無線信号を受信装置２へ送信する。
【００３４】
受信装置２の第１無線通信部２３は、サーバ装置３から送信される無線信号を受信し、受信した信号を復調して送信フレームを復元する。第１制御部２２は、第１無線通信部２３で復元された送信フレームからコンテンツを取得し、取得したコンテンツを再生部２５に出力する。そして、再生部２５が第１制御部２２から受け取ったコンテンツを再生することにより、受信装置２を携帯している利用者にコンテンツが提供される。ここで、再生部２５で再生されるコンテンツは、付加情報に対応したもの、すなわち、複数のコンテンツの中から利用者の性別や年代などに相応しいものが選ばれている。
【００３５】
上述のように本実施形態の可視光通信システムは、可視光を通信媒体として伝送信号を送信する送信装置１と、利用者に携帯されて伝送信号を受信する受信装置２とを有する。また、本実施形態の可視光通信システムは、受信装置２に対して、映像及び音響の少なくとも何れか一方を含むコンテンツを提供するサーバ装置３を有する。送信装置１は、固有の識別情報が割り当てられ、識別情報を含む伝送信号を周期的に送信するように構成される。受信装置２は、伝送信号を受信する受信部２１と、電波を通信媒体とした無線通信を行う第１無線通信部２３と、コンテンツを再生する再生部２５と、付加情報を記憶する第１記憶部２４と、第１制御部２２とを備える。第１制御部２２は、受信部２１で受信する伝送信号から識別情報を取得し、識別情報と第１記憶部２４に記憶されている付加情報とを含む無線信号を第１無線通信部２３からサーバ装置３へ送信させるように構成される。サーバ装置３は、受信装置２の第１無線通信部２３との間で無線通信を行う第２無線通信部３０と、複数のコンテンツを記憶する第２記憶部(データベース３２)と、第２制御部３１とを備える。第２制御部３１は、第２無線通信部３０で受信する無線信号から識別情報と付加情報を取得し、第２記憶部(データベース３２)に記憶されている複数のコンテンツの中から識別情報及び付加情報に対応したコンテンツを選択し、且つ選択したコンテンツを含む無線信号を第２無線通信部３０から送信させるように構成される。第１制御部２２は、第１無線通信部２３で受信する無線信号からコンテンツを取得し、取得したコンテンツを再生部２５に再生させるように構成される。
【００３６】
本実施形態の可視光通信システムによれば、送信装置(照明装置１)の識別情報(ＩＤ)だけでなく、利用者の個人情報などを含む付加情報に対応したコンテンツを利用者に提供するので、利用者に対して種々の条件に対応した適切な情報を提供することができる。その結果、本実施形態可視光通信システムは、このように適切な情報を受信装置２を通じて利用者に提供することにより、店舗への集客や購買意欲の向上に貢献することができる。
【００３７】
ところで、付加情報は利用者の個人情報に限定されるものではない。例えば、照明装置１が設置されている場所(都道府県や市町村)の時刻や天候を付加情報としても構わない。あるいは、時刻や天候以外でも、一般的に容易に入手可能な情報(例えば、交通情報や花粉の飛散情報など)を付加情報としても構わない。
【符号の説明】
【００３８】
１  照明装置(送信装置)
２  受信装置
３  サーバ装置
２１  受信部
２２  第１制御部
２３  第１無線通信部
２４  第１記憶部
２５  再生部
３０  第２無線通信部
３１  第２制御部
３２  データベース(第２記憶部)
【図１】
2015103857.tif 000003
【図２】
2015103857.tif 000004